(57)【要約】【課題】信号コンタクトパターンが周方向に配されたコネクタ装置において、外部からの電磁ノイズに対するシールド性の改善を図ることを目的とする。【解決手段】差込側コネクタ３０は、円筒形状の絶縁体部３１と、この内周面に周方向に配置してある複数の信号コンタクトパターン４５，４６と、円筒形状の絶縁体部の外周面の全面に形成してある円筒状のグランドパターン３２とを有する。受け側コネクタ２０は、差込側コネクタが差し込まれる円環状の空間２２を有する絶縁体ブロック２１と、絶縁体ブロックに、周方向に並んで配置してある複数の信号コンタクト片２５，２６及びグランドコンタクト片２７．２８と、絶縁体ブロック２１の中央の円筒状のグランド部材２９とを有する。信号コンタクトパターンと信号コンタクト片とが接続され、円筒状のグランドパターンとグランドコンタクト片とが接続される。円筒状のグランドパターン３２が信号コンタクトパターン４５，４６と信号コンタクト片２５，２６とが接続されている部分の外周を囲む。【選択図】図１
2008251253.tif 000002
【特許請求の範囲】
【請求項１】
周方向に配置された複数の信号コンタクト部材を有する構成であり、受け側コネクタに差し込まれて接続される差込側コネクタであって、
前記周方向に配置された複数の信号コンタクト部材の外周側を囲む円筒状のグランド手段を有する差込側コネクタ。
【請求項２】
周方向に配置された複数の信号コンタクト部材を有する構成であり、受け側コネクタに差し込まれて接続される差込側コネクタであって、
前記周方向に配置された複数の信号コンタクト部材の内周側に円筒状のグランド手段を有する差込側コネクタ。
【請求項３】
前記周方向の隣り合う信号コンタクト部材の間にグランドコンタクト部材を更に有する請求項１又は請求項２に記載の差込側コネクタ。
【請求項４】
前記信号コンタクト部材は、平衡伝送が可能なように対をなしている請求項１乃至３のうち何れか一項に記載の差込側コネクタ。
【請求項５】
請求項１乃至請求項４のうち何れか一項に記載の複数の差込側コネクタが一体化してある差込側コネクタ。
【請求項６】
前記信号コンタクト部材及びグランド手段は、絶縁性のシート本体の一方の面に全面にグランド手段となるべき面状のパターンが形成してあり且つ反対側の面に信号コンタクト部材となるべき線状のパターンが形成してあるシート部材を、丸めて円筒形にすることによって形成したものである請求項１又は請求項２に記載の差込側コネクタ。
【請求項７】
前記信号コンタクト部材及びグランド手段及びグランドコンタクト部材は、絶縁性のシート本体の一方の面に全面にグランド手段となるべき面状のパターンが形成してあり且つ反対側の面に信号コンタクト部材及びグランドコンタクト部材となるべき線状のパターンが形成してあるシート部材を、丸めて円筒形にすることによって形成したものである請求項３に記載の差込側コネクタ。
【請求項８】
周方向に配置された複数の信号コンタクト部材と、信号コンタクト部材の外周側を囲む円筒状のグランド手段を有する差込側コネクタが差し込まれる受け側コネクタであって、
前記差込側コネクタの前記円筒状グランド部材と接触するように、周方向に配置してある複数のグランドコンタクト片と、
前記差込側コネクタの前記信号コンタクト部材と接触するように、周方向に配置してある複数の信号コンタクト片と、を有する受け側コネクタ。
【請求項９】
前記差込側コネクタの前記円筒状グランド手段と接触するようにして、周方向に隣り合う信号コンタクト部材の間をシールドするように配置してあるグランド用コンタクト片を更に有する請求項８に記載の受け側コネクタ。
【請求項１０】
周方向に配置された複数の信号コンタクト部材と、前記周方向の隣り合う信号コンタクト部材の間のグランドコンタクト部材と、前記信号コンタクト部材及び前記グランドコンタクト部材の外周側を囲む円筒状のグランド手段を有する差込側コネクタが差し込まれる受け側コネクタであって、
前記差込側コネクタの前記信号コンタクト部材と接触するように、周方向に配置してある複数の信号コンタクト片と、
前記差込側コネクタの前記円筒状グランド部材及び前記グランドコンタクト部材と接触するように、周方向に配置してある複数グランドコンタクト片とを有する受け側コネクタ。
【請求項１１】
周方向に配置された複数の信号コンタクト部材と、信号コンタクト部材の内周側の円筒状のグランド手段を有する差込側コネクタが差し込まれる受け側コネクタであって、
前記差込側コネクタの前記円筒状グランド部材と接触するように、周方向に配置してある複数の第１のグランドコンタクト片と、
前記差込側コネクタの前記信号コンタクト部材と接触するように、周方向に配置してある複数の信号コンタクト片と、を有する受け側コネクタ。
【請求項１２】
前記差込側コネクタの前記円筒状グランド手段と接触するようにして、周方向に隣り合う信号コンタクト部材の間をシールドするように配置してあるグランド用コンタクト片を更に有する請求項１１に記載の受け側コネクタ。
【請求項１３】
周方向に配置された複数の信号コンタクト部材と、前記周方向の隣り合う信号コンタクト部材の間のグランドコンタクト部材と、前記信号コンタクト部材及び前記グランドコンタクト部材の内周側の円筒状のグランド手段を有する差込側コネクタが差し込まれる受け側コネクタであって、
前記差込側コネクタの前記信号コンタクト部材と接触するように、周方向に配置してある複数の信号コンタクト片と、
前記差込側コネクタの前記円筒状グランド部材及び前記グランドコンタクト部材と接触するように、周方向に配置してある複数グランドコンタクト片とを有する受け側コネクタ。
【請求項１４】
前記信号コンタクト片は、平衡伝送が可能なように対をなしている請求項８乃至請求項１３のうち何れか一項に記載の受け側コネクタ。
【請求項１５】
中心側に配置してある円筒状のシールド部材を更に有する請求項８乃至１４のうち何れか一項に記載の受け側コネクタ。
【請求項１６】
請求項８乃至請求項１５のうち何れか一項に記載の複数の受け側コネクタが一体化してある受け側コネクタ。
【請求項１７】
請求項１乃至請求項７のうち何れか一項に記載の差込側コネクタと、
請求項８乃至請求項１６のうち何れか一項に記載の受け側コネクタとよりなる構成としたことを特徴とするコネクタ装置。
【発明の詳細な説明】
【技術分野】
【０００１】
本発明はコネクタ装置に係り、特に、受け側コネクタと差込側コネクタとよりなるコネクタ装置に関する。
【背景技術】
【０００２】
受け側コネクタと差込側コネクタとよりなるコネクタ装置は、信号コンタクトが横に一直線に並んでいる構成が一般的であるが、信号コンタクトが周方向に並んで配置された構成の受け側コネクタと差込側コネクタとよりなり、全体的に円筒状であるコネクタ装置もある。
【特許文献１】特開平１１−６７３７２号公報
【発明の開示】
【発明が解決しようとする課題】
【０００３】
しかし、従来の円筒状であるコネクタ装置は、外部からの電磁ノイズ或いは一つのコネクタ内でのクロストークに対する対策が十分とはいえないものであった。
【０００４】
本発明は、上記の点に鑑みなされたものであり、上記課題を解決したコネクタ装置を提供することを目的とする。
【課題を解決するための手段】
【０００５】
そこで、本発明は、周方向に配置された複数の信号コンタクト部材を有する構成であり、受け側コネクタに差し込まれて接続される差込側コネクタであって、
前記周方向に配置された複数の信号コンタクト部材の外周側を囲む円筒状のグランド手段を有することを特徴とする。
【発明の効果】
【０００６】
周方向に配置された複数の信号コンタクト部材の外周側を囲む円筒状のグランド手段は、差込側コネクタが受け側コネクタに差し込まれて接続された状態で、外部からの電磁ノイズをシールドする。よって、この差込側コネクタを使用するコネクタ装置は、信号コンタクトが周方向に配置された構成のものにおいて、外部からの電磁ノイズによる影響を受けにくくなる。
【発明を実施するための最良の形態】
【０００７】
次に本発明の実施の形態について説明する。
【０００８】
図２５（Ａ）乃至（Ｉ）は以下に記載する各実施例になるコネクタ装置の接続状態を概略的に且つ一覧できるよう示した図である。
【実施例１】
【０００９】
図１は本発明の実施例１になるコネクタ装置１０を、これを構成する円筒状の受け側コネクタ２０と円筒状の差込側コネクタ３０とを対応させて示す。図２はコネクタ装置１０の概略図である。図３（Ａ）乃至（Ｄ）は円筒状の受け側コネクタ２０と円筒状の差込側コネクタ３０とを対応させて示す。Ｘ１が差込側コネクタ３０を受け側コネクタ２０に差し込む方向であり、Ｘ２が抜く方向である。図３（Ｂ）は図３（Ａ）の差込側コネクタ３０の左側面図であり、図３（Ｄ）は図３（Ｃ）の受け側コネクタ２０の左側面図である。図４（Ａ）、（Ｂ）は差込側コネクタ３０が受け側コネクタ２０に接続されている状態を示す。図２５（Ａ）はコネクタ装置１０を概略的に示す。コネクタ装置１０は平衡伝送路に適用されるものである。平衡伝送とは、データごとに対をなす二本の電線を使用して、伝送すべき＋信号とこの＋信号とは大きさが等しく逆向きの−信号とを同時に伝送する方式である。
【００１０】
[差込側コネクタ３０の構造]
差込側コネクタ３０は、図５（Ａ），（Ｂ）に示すシート部材４０を矢印Ａの方向に、即ち、グランド手段としてのグランドパターン４２が外側となる方向に湾曲させて丸めて円筒形にしたものである。シート部材４０は、長方形の絶縁性のシート本体４１の下面４１ｂの全面に面状のグランドパターン４２が成膜形成してあり、絶縁性のシート本体４１の上面４１ａに、信号の伝送経路の一部となる線状の信号コンタクトパターン対４４−１〜４４−３が並んでいる等間隔で並んで成膜形成してあり、上面４１ａ及び下面４１ｂの大部分が絶縁膜４７、４８で覆われている構成である。４８ａは切欠き窓部であり、グランドパターン４２の一部が露出している。通常は、対の数は多数であるが、図示の便宜上、三つとしてある。信号コンタクトパターン対４４−１は、信号コンタクト部材としての第１の信号コンタクトパターン４５と第２の信号コンタクトパターン４６とよりなる。
【００１１】
シート部材４０を上記のように湾曲させて円筒形にしたことによって、図２（Ａ）、（Ｂ）に示すように、絶縁性のシート本体４１によって円筒形状の絶縁体部３１が形成され、併せて、この円筒形状絶縁体部３１の外周の全面にグランド手段としての円筒状のグランドパターン３２が形成され、信号コンタクトパターン対４４−１〜４４−３が円筒形状絶縁体部３１の内周に等角度間隔で並んだ状態となる。４９はシート部材４０の両端が突き合わされて固定してある部分である。一つの信号コンタクトパターン対４４−１は、第１の信号コンタクトパターン４５と第２の信号コンタクトパターン４６とよりなる。信号コンタクトパターン４５、４６は差込側コネクタ３０の軸線３０ＣＬと平行である。
【００１２】
３３は差込側コネクタ３０の本体部である。
【００１３】
この差込側コネクタ３０は、一例として、本体部３３の部分で、複数のペア線を有するケーブル（図示せず）の端に、各信号コンタクトパターンを対応するペア線と接続された状態で設けてある。
【００１４】
なお、この差込側コネクタは、上記以外の製造方法、例えば、樹脂成形された円筒形状絶縁体に信号コンタクト部材としての信号コンタクト導体線及びグランド手段としての円筒状のグランド部材を組み込むこと製造の方法によって製造することも出来る。この場合には、差込側コネクタは、信号コンタクトパターン４５，４６に代えて、信号コンタクト導体線が周方向に配置され、円筒状のグランドパターン３２に代えて、グランド手段としての金属板をプレス成形してなる円筒状のグランド部材が円筒形状絶縁体の内周面側に配置された構成となる。
【００１５】
[受け側コネクタ２０の構造]
受け側コネクタ２０は、図１及び図３（Ｃ）、（Ｄ）に示すように、絶縁体ブロック２１と、信号コンタクトパターン対に対応して絶縁体ブロック２１に組み込んである三つのコンタクト片群２３−１〜２３−３と、絶縁体ブロック２１の中心に組み込んである一つのグランド部材２９とを有する構成である。
【００１６】
絶縁体ブロック２１は、略円筒形状であり、中央に貫通穴２１ａを有し、且つ、差込側コネクタ３０が差し込まれる円環状の空間２２が、Ｘ２側の面より凹んで形成してある。
【００１７】
一つコンタクト片群２３−１は、第１の信号コンタクト片２５と、第２の信号コンタクト片２６と、グランドコンタクト片２７，２８とよりなる。第１の信号コンタクト片２５は、第１の信号コンタクトパターン４５に対応して、空間２２よりも中心側に、且つ、一部が空間２２に突き出た状態で設けてある。第２の信号コンタクト片２６は、第２の信号コンタクトパターン４６に対応して、空間２２よりも中心側に、且つ、一部が空間２２に突き出た状態で設けてある。グランドコンタクト片２７，２８は、夫々、空間２２よりも外周側に、第１、第２の信号コンタクトパターン４５、４６に対向した配置で、且つ、一部が空間２２に突き出た状態で設けてある。よって、後述するように、第１の信号コンタクト片２５とグランドコンタクト片２７とは差込側コネクタ３０の同じ箇所を挟み、第２の信号コンタクト片２６とグランドコンタクト片２８とは差込側コネクタ３０の別の同じ箇所を挟む。また、第１の信号コンタクト片２５とグランドコンタクト片２７とは絶縁体ブロック２１の中心線２１ＣＬを通る一つの面上に整列し、第２の信号コンタクト片２６とグランドコンタクト片２８とは絶縁体ブロック２１の中心を通る別の一つの面上に整列して、放射状に並んでいる。２５ａ，２６ａ，２７ａ，２８ａは、信号コンタクト片２５，２６及びグランドコンタクト片２７，２８の脚部であり、絶縁体ブロック２１のＸ１側の面に突き出ている。
【００１８】
他のコンタクト片群２３−２、２３−３も、前記のコンタクト片群２３−１と同じ構造である。
【００１９】
グランド部材２９は、円筒形状であり、前記円環状の空間２２よりも中心側であって、且つ、各コンタクト片群２３−１〜２３−３の信号コンタクト片２５、２６よりも中心側に、設けてある。グランド部材２９の先端２９ｂは、信号コンタクト片２５、２６の先端よりもＸ２側に位置している。２９ａはグランド部材２９の脚部である。
【００２０】
上記構成の受け側コネクタ２０は、脚部２５ａ〜２９ａを、機器内のプリント基板のパッドに半田付けされて実装してある。グランドコンタクト片２７，２８及びグランド部材２９は共に接地電位となっている。
【００２１】
[差込側コネクタ３０の受け側コネクタ２０への接続状態]
図４（Ａ）、（Ｂ）、図２及び図２５（Ａ）に示すように、差込側コネクタ３０は周方向上適宜に位置を決められて受け側コネクタ２０の円環状の空間２２内に差し込まれ十分に深く挿入されて接続される。信号コンタクトパターン対４４−１の部分とコンタクト片群２３−１の部分とに注目してみると、内周側の信号コンタクト片２５、２６と外周側のグランドコンタクト片２７，２８とが差込側コネクタ３０の筒の部分を挟んでいる。第１の信号コンタクトパターン４５と第１の信号コンタクト片２５とが接触されて接続され、第２の信号コンタクトパターン４６と第２の信号コンタクト片２６とが接触されて接続されている。この部分を通って、対をなす信号が伝送される。円筒状のグランドパターン３２はグランドコンタクト片２７，２８に接触されて接続されており、接地電位とされている。
【００２２】
他の信号コンタクトパターン対の部分と他のコンタクト片群の部分との間も、上記と同様に接続してある。
【００２３】
よって、特に図３（Ａ）に示すように、接地電位となっている円筒状のグランドパターン３２は、全部の信号コンタクトパターンは勿論、全部の信号コンタクト片をも、その内側に囲んでおり、タクトパターンと信号コンタクト片とが接続部分については周囲をシールドされた同軸ケーブルと同様のシールド構造となっている。このため、外部からの電磁ノイズは円筒状のグランドパターン３２によって遮断されて信号が伝送される部分までには到らず、コネクタ装置１０は外部からの電磁ノイズの影響を受け難い特性を有する。
【００２４】
また、図３（Ａ）に示すように、円筒状のグランド部材２９が、周方向に隣り合う信号コンタクトパターン対の間、即ち、信号コンタクトパターン対４４−１と信号コンタクトパターン対４４−２との間、信号コンタクトパターン対４４−２と信号コンタクトパターン対４４−３との間、信号コンタクトパターン対４４−３と信号コンタクトパターン対４４−１との間を、遮蔽するように機能している。よって、コネクタ装置１０は、周方向に隣り合う信号対間で信号の干渉、即ち、コネクタ装置１０内でのクロストークが起きにくい特性を併せて有する。
【実施例２】
【００２５】
図６及び図２５（Ｂ）は、本発明の実施例２になるコネクタ装置１０Ａを概略的に示す。コネクタ装置１０Ａは、前記の差込側コネクタ３０と同じ構成である差込側コネクタと、図７（Ａ）、（Ｂ）に示す受け側コネクタ２０Ａとよりなる構成である。
【００２６】
受け側コネクタ２０Ａは、前記の受け側コネクタ２０とは若干相違する構成、即ち、周方向に隣り合うコンタクト片群の間、即ち、コンタクト片群２３−１とコンタクト片材群２３−２との間、コンタクト片材群２３−２とコンタクト片群２３−３との間、コンタクト片群２３−３とコンタクト片群２３−１との間に、グランド用コンタクト部材５０が追加してある構成である。
【００２７】
このグランド用コンタクト部材５０は、図７（Ａ）、（Ｂ）に示すように、円環状の空間２２を跨いで配置してある外側コンタクト片５０ａ及び内側コンタクト片５０ｂと、脚部５０ｃとを有する。外側コンタクト片５０ａは、円環状の空間２２よりも外周側に配置してあり、挿入された円筒状のグランドパターン３２と接触する。脚部５０ｃはプリント基板のパッドに半田付けされて実装してあり、グランド用コンタクト部材５０は接地電位となっている。
【００２８】
差込側コネクタ３０が受け側コネクタ２０Ａに接続された状態で、図６及び図２５（Ｂ）に示すように、周方向に隣り合う信号対の間は、円筒状のシールド片２９に加えてグランド用コンタクト部材５０によって遮蔽されている。よって、コネクタ装置１０Ａは、前記コネクタ装置１０に比較して、周方向に隣り合う信号対の間で信号の干渉が更に起きにくい特性を有する。
【実施例３】
【００２９】
図１０は図１５（Ｃ）は、本発明の実施例３になるコネクタ装置１０Ｂを概略的に示す。コネクタ装置１０Ｂは、図９（Ａ）、（Ｂ）に示す差込側コネクタ３０Ｂと、図７（Ａ）、（Ｂ）に示す受け側コネクタ２０Ａとよりなる構成である。
【００３０】
差込側コネクタ３０Ｂは、図２（Ａ）、（Ｂ）に示す差込側コネクタ３０とは、周方向の隣り合う信号コンタクトパターン対４４−１〜４４−３の間にグランドコンタクト部材としてのグランドコンタクトパターン４３を有する点が相違する構成である。この差込側コネクタ３０Ｂは、図１０（Ａ），（Ｂ）に示すシート部材４０Ｂを矢印Ａ方向に湾曲させて円筒形にして製造される。シート部材４０Ｂは、図５（Ａ），（Ｂ）に示すシート部材４０とは、グランドコンタクトパターン４３を有する点が相違する。グランドコンタクトパターン４３は、隣り合う信号コンタクトパターン対４４−１〜４４−３の間に、信号コンタクトパターンと平行に延在している。
【００３１】
差込側コネクタ３０Ｂが受け側コネクタ２０Ａに接続された状態で、図８及び図２５（Ｂ）に示すように、グランドコンタクトパターン４３は内側コンタクト片５０ｂと接触し、円筒状のグランドパターン３２が外側コンタクト片５０ａと接触している。
【００３２】
周方向に隣り合う信号対の間は、円筒状のシールド片２９及びグランド用コンタクト部材５０に加えて、グランドコンタクトパターン４３によって遮蔽されている。よって、コネクタ装置１０Ｂは、前記コネクタ装置１０Ａに比較して、周方向に隣り合う信号対の間で信号の干渉が更に起きにくい特性を有する。
【実施例４】
【００３３】
図１１は本発明の実施例４になるコネクタ装置１０Ｃを、これを構成する円筒状の受け側コネクタ２０Ｃと円筒状の差込側コネクタ３０とを対応させて示す。図１２及び図２５（Ｃ）は、コネクタ装置１０Ｂを概略的に示す。図１３（Ａ）乃至（Ｄ）は円筒状の受け側コネクタ２０Ｃと円筒状の差込側コネクタ３０とを対応させて示す。
【００３４】
コネクタ装置１０Ｂは、図１３（Ａ）、（Ｂ）に示す差込側コネクタ３０と、図１３（Ｃ）、（Ｄ）に示す受け側コネクタ２０Ｃとよりなる構成である。
【００３５】
差込側コネクタ３０は、本発明の実施例１のコネクタ装置１０の差込側コネクタ３０と同じ構成である。
【００３６】
受け側コネクタ２０Ｃは、本発明の実施例１のコネクタ装置１０の受け側コネクタ２０とは若干相違する構成、即ち、グランド部材２９を有していない構成である。
【００３７】
図１４（Ａ）、（Ｂ）、図１２及び図２５（Ｄ）に示すように、差込側コネクタ３０は受け側コネクタ２０Ｃに接続される。
【００３８】
コネクタ装置１０Ｃは、コンタクトパターンと信号コンタクト片との接続部分は、円筒状のグランド部材２９によって囲まれて周囲をシールドされた同軸ケーブルと同様のシールド構造となっている。このため、外部からの電磁ノイズは円筒状のグランドパターン３２によって遮断されて信号が伝送される部分までには到らず、コネクタ装置１０Ｃは外部からの電磁ノイズの影響を受け難い特性を有する。
【実施例５】
【００３９】
図１５及び図２５（Ｅ）は、本発明の実施例４になるコネクタ装置１０Ｄを概略的に示す。コネクタ装置１０Ｄは、上記の差込側コネクタ３０と、図１６（Ａ）、（Ｂ）に示す受け側コネクタ２０Ｄとよりなる構成である。
【００４０】
受け側コネクタ２０Ｄは、前記の図７の受け側コネクタ２０Ａとは若干相違する構成、即ち、グランド部材２９を有していない構成である。
【００４１】
差込側コネクタ３０が受け側コネクタ２０Ｃに接続された状態で、図１５及び図２５（Ｅ）に示すように、周方向に隣り合う信号対の間は、グランド用コンタクト部材５０によって遮蔽されている。よって、コネクタ装置１０Ｃは、図２５（Ｄ）に示す前記のコネクタ装置１０Ｃに比較して、隣り合う信号対の間で信号の干渉が更に起きにくい特性を有する。
【実施例６】
【００４２】
図１７及び図２５（Ｅ）は、本発明の実施例６になるコネクタ装置１０Ｅを概略的に示す。コネクタ装置１０Ｅは、図９（Ａ）、（Ｂ）に示す差込側コネクタ３０Ｂと、図１６（Ａ）、（Ｂ）に示す受け側コネクタ２０Ｄとよりなる構成である。
【００４３】
差込側コネクタ３０Ｂが受け側コネクタ２０Ｄに接続された状態で、グランドコンタクトパターン４３は内側コンタクト片５０ｂと接触し、円筒状のグランドパターン３２が外側コンタクト片５０ａと接触している。周方向に隣り合う信号対の間は、グランド用コンタクト部材５０に加えて、グランドコンタクトパターン４３によって遮蔽されている。よって、コネクタ装置１０Ｅは、前記コネクタ装置１０Ｄに比較して、周方向に隣り合う信号対の間で信号の干渉が更に起きにくい特性を有する。
【実施例７】
【００４４】
図１８は本発明の実施例７になるコネクタ装置１０Ｄを、これを構成する円筒状の受け側コネクタ２０Ｆと円筒状の差込側コネクタ３０Ｆとを対応させて示す。図２０（Ａ）乃至（Ｄ）は円筒状の受け側コネクタ２０Ｆと円筒状の差込側コネクタ３０Ｆとを対応させて示す。図２１（Ａ）、（Ｂ）は差込側コネクタ３０が受け側コネクタ２０に接続されている状態を示す。図１９、図２５（Ｇ）は、コネクタ装置１０Ｆを概略的に示す。各図中、図１乃至図３に示す構成部分と対応する構成部分には同一符号を付す。
【００４５】
[差込側コネクタ３０Ｆの構造]
差込側コネクタ３０Ｆは、図５に示すシート部材４０を矢印Ｂの方向に、即ち、グランドパターン４２が内側となる方向に湾曲させて円筒形にしたものである。
【００４６】
シート部材４０を上記のように湾曲させて円筒形にしたことによって、図２０（Ａ），（Ｂ）に示すように、円筒形状の絶縁体部３１が形成され、併せて、この円筒形状絶縁体部３１の内周の全面に円筒状のグランドパターン３２が形成され、信号コンタクトパターン対４４Ｆ−１〜４４Ｆ−３が円筒形状絶縁体部３１の外周に等角度間隔で並んだ状態となる。一つの信号コンタクトパターン対４４Ｆ−１は、第１の信号コンタクトパターン４５と第２の信号コンタクトパターン４６とよりなる。なお、第１の信号コンタクトパターン４５と第２の信号コンタクトパターン４６との配置は第１実施例の場合とは逆になるけれども、説明の便宜上第１実施例の場合と同じ向きとして説明する。この差込側コネクタ３０Ｆは、一例としてケーブルの端に接続してある。
[受け側コネクタ２０Ｆの構造]
受け側コネクタ２０Ｆは、図１８及び図２０（Ｃ）、（Ｄ）に示すように、絶縁体ブロック２１と、信号コンタクトパターン対に対応して絶縁体ブロック２１に組み込んである三つのコンタクト片群２３Ｆ−１〜２３Ｆ−３とを有する構成である。
【００４７】
絶縁体ブロック２１は、略円筒形状であり、差込側コネクタ３０が差し込まれる円環状の空間２２を有する。
【００４８】
一つコンタクト片群２３Ｆ−１は、第１の信号コンタクト片２５と、第２の信号コンタクト片２６と、グランドコンタクト片２７，２８とよりなる。第１、第２の信号コンタクト片２５、２６は、夫々第１、第２の信号コンタクトパターン４５、４６に対応して、空間２２よりも外周側に、且つ、一部が空間２２に突き出た状態で設けてある。グランドコンタクト片２７，２８は、夫々、空間２２よりも中心側に、第１、第２の信号コンタクトパターン４５、４６に対向した配置で、且つ、一部が空間２２に突き出た状態で設けてある。
【００４９】
上記構成の受け側コネクタ２０Ｆは、脚部２５ａ〜２９ａを、機器内のプリント基板のパッドに半田付けされて実装してある。グランドコンタクト片２７，２８は接地電位となっている。
[差込側コネクタ３０Ｆの受け側コネクタ２０Ｆへの接続状態]
図２１（Ａ）、（Ｂ）及び図２５（Ｇ）に示すように、差込側コネクタ３０Ｆは周方向上適宜に位置を決められて受け側コネクタ２０Ｆの円環状の空間２２内に十分に深く挿入されて接続される。信号コンタクトパターン対４４Ｆ−１の部分とコンタクト片群２３Ｆ−１の部分とに注目してみると、外周側の信号コンタクト片２５、２６と内周側のグランドコンタクト片２７，２８とが差込側コネクタ３０Ｆの筒の部分を挟んでいる。第１の信号コンタクトパターン４５と第１の信号コンタクト片２５とが接触されて接続され、第２の信号コンタクトパターン４６と第２の信号コンタクト片２６とが接触されて接続されている。この部分を通って、対をなす信号が伝送される。円筒状のグランドパターン３２はグランドコンタクト片２７，２８に接触されて接続されており、接地電位とされている。
【００５０】
他の信号コンタクトパターン対の部分と他のコンタクト片群の部分との間も、上記と同様に接続してある。
【００５１】
よって、信号コンタクトパターン対の部分とコンタクト片群の部分とが接続してある部分は、すべて、接地電位となっている円筒状のグランドパターン３２の外周側に配されている。円筒状のグランドパターン３２は、その湾曲によって、隣り合う信号対の間に入り込んで隣り合う信号対の間を遮蔽するように機能している。よって、コネクタ装置１０Ｆは、隣り合う信号対の間で信号の干渉が起きにくい特性を有する。
【００５２】
なお、図３（Ｃ）に示す円筒形状のグランド部材２９を設けてもよい。
【実施例８】
【００５３】
図２２及び図２５（Ｆ）は、本発明の実施例５になるコネクタ装置１０Ｇを概略的に示す。コネクタ装置１０Ｇは、前記の差込側コネクタ３０Ｆと、図２３（Ａ）、（Ｂ）に示す受け側コネクタ２０Ｇとよりなる構成である。
【００５４】
受け側コネクタ２０Ｇは、前記の受け側コネクタ２０Ｆとは若干相違する構成、即ち、周方向に隣り合うコンタクト片群の間、即ち、コンタクト片群２３Ｆ−１とコンタクト片群２３Ｆ−２との間、コンタクト片群２３Ｆ−２とコンタクト片群２３Ｆ−３との間、コンタクト片群２３Ｆ−３とコンタクト片群２３Ｆ−１との間に、グランド用コンタクト部材５０Ｇが追加してある構成である。
【００５５】
このグランド用コンタクト部材５０Ｇは、図２３（Ａ）、（Ｂ）に示すように、外側コンタクト片５０Ｇａ及び内側コンタクト片５０Ｇｂと、脚部５０Ｇｃとを有する。内側コンタクト片５０Ｇｂは、円環状の空間２２よりも内周側に配置してあり、挿入された円筒状のグランドパターン３２と接触する。脚部５０Ｇｃはプリント基板のパッドに半田付けされて実装してあり、グランド用コンタクト部材５０Ｇは接地電位となっている。
【００５６】
差込側コネクタ３０Ｆが受け側コネクタ２０Ｇに接続された状態で、図２２及び図１５（Ｈ）に示すように、隣り合う信号対の間は、グランド用コンタクト部材５０Ｇによって遮蔽されている。よって、コネクタ装置１０Ｇは、図１８に示すコネクタ装置１０Ｆに比較して、隣り合う信号対の間で信号の干渉が起きにくい特性を有する。
【００５７】
なお、図３（Ｃ）に示す円筒形状のグランド部材２９を設けてもよい。
【実施例９】
【００５８】
図２４及び図２５（Ｉ）は、本発明の実施例９になるコネクタ装置１０Ｈを概略的に示す。コネクタ装置１０Ｈは、差込側コネクタ３０Ｈと、図２３（Ａ）、（Ｂ）に示す受け側コネクタ２０Ｇとよりなる構成である。
【００５９】
差込側コネクタ３０Ｈは、図１０（Ａ），（Ｂ）に示すシート部材４０Ｂを矢印Ｂ方向に湾曲させて円筒形にして製造される。外周側において、グランドコンタクトパターン４３は、隣り合う信号コンタクトパターン対４４−１〜４４−３の間に、信号コンタクトパターンと平行に延在している。
【００６０】
差込側コネクタ３０Ｈが受け側コネクタ２０Ｇに接続された状態で、図２４及び図２５（Ｉ）に示すように、円筒状のグランドパターン３２が内側コンタクト片５０ｂと接触し、グランドコンタクトパターン４３が外側コンタクト片５０ａと接触している。
【００６１】
周方向に隣り合う信号対の間は、円筒状のシールド片２９及びグランド用コンタクト部材５０Ｇに加えて、グランドコンタクトパターン４３によって遮蔽されている。よって、コネクタ装置１０Ｈは、前記コネクタ装置１０Ｇに比較して、周方向に隣り合う信号対の間で信号の干渉が更に起きにくい特性を有する。
【００６２】
なお、図３（Ｃ）に示す円筒形状のグランド部材２９を設けてもよい。
【実施例１０】
【００６３】
図２６は、本発明の実施例１０になる差込側コネクタ３０Ｊを示す。この差込側コネクタ３０Ｊは、前記の何れかの実施例になる複数の差込側コネクタ３０等が直方体形状の絶縁性のブロック６０によって複数一体化された構成である。
【実施例１１】
【００６４】
図２７は、本発明の実施例１１になる受け側コネクタ２０Ｋを示す。この受け側コネクタ２０Ｋは、前記の何れかの実施例になる複数の受け側コネクタ２０等が直方体形状の絶縁性のブロック６１によって複数一体化された構成である。
[変形例等]
また、上記の各実施例の差込側コネクタ３０等、受け側コネクタ２０等において、信号コンタクトパターン及び信号コンタクト片を、各信号伝送路毎に一対ずつではなくて、一つずつ設けた構成にすることも出来る。この構成のコネクタは、通常の伝送方式に適用される。この構成のコネクタも、前記の平衡伝送に適用されるコネクタ装置１０等によって得られる効果と同様の効果を有する。
【図面の簡単な説明】
【００６５】
【図１】本発明の実施例１になるコネクタ装置を、受け側コネクタと差込側コネクタとを対応させて示す斜視図である。
【図２】図１のコネクタ装置を、受け側コネクタ及び差込側コネクタと併せて概略的に示す図である。
【図３】受け側コネクタと円筒状の差込側コネクタとを対応させて示す図であり、（Ｃ）は（Ｄ）中、Ｃ−Ｃ線に沿う断面図である。
【図４】差込側コネクタが受け側コネクタに接続されている状態を示す図であり、（Ｂ）は（Ａ）中、Ｂ−Ｂ線に沿う断面図である。
【図５】シート部材の斜視図である。
【図６】本発明の実施例２になるコネクタ装置を、受け側コネクタ及び差込側コネクタと併せて概略的に示す図である。
【図７】本発明の実施例２になるコネクタ装置の受け側コネクタを示す図であり、（Ａ）は（Ｂ）中、Ａ−Ａ線に沿う断面図である。
【図８】本発明の実施例３になるコネクタ装置を、受け側コネクタ及び差込側コネクタと併せて概略的に示す図である。
【図９】本発明の実施例３になるコネクタ装置の差込側コネクタを示す図である。
【図１０】シート部材の斜視図である。
【図１１】本発明の実施例４になるコネクタ装置を、受け側コネクタと差込側コネクタとを対応させて示す斜視図である。
【図１２】本発明の実施例４になるコネクタ装置を、受け側コネクタ及び差込側コネクタと併せて概略的に示す図である。
【図１３】受け側コネクタと円筒状の差込側コネクタとを対応させて示す図であり、（Ｃ）は（Ｄ）中、Ｃ−Ｃ線に沿う断面図である。
【図１４】差込側コネクタが受け側コネクタに接続されている状態を示す図であり、（Ｂ）は（Ａ）中、Ｂ−Ｂ線に沿う断面図である。
【図１５】本発明の実施例５になるコネクタ装置を、受け側コネクタ及び差込側コネクタと併せて概略的に示す図である。
【図１６】本発明の実施例５になるコネクタ装置の受け側コネクタを示す図であり、（Ａ）は（Ｂ）中、Ａ−Ａ線に沿う断面図である。
【図１７】本発明の実施例６になるコネクタ装置を、受け側コネクタ及び差込側コネクタと併せて概略的に示す図である。
【図１８】本発明の実施例７になるコネクタ装置を、受け側コネクタと差込側コネクタとを対応させて示す斜視図である。
【図１９】本発明の実施例７になるコネクタ装置を、受け側コネクタ及び差込側コネクタと併せて概略的に示す図である。
【図２０】受け側コネクタと円筒状の差込側コネクタとを対応させて示す図であり、（Ｃ）は（Ｄ）中、Ｃ−Ｃ線に沿う断面図である。
【図２１】差込側コネクタが受け側コネクタに接続されている状態を示す図であり、（Ｂ）は（Ａ）中、Ｂ−Ｂ線に沿う断面図である。
【図２２】本発明の実施例８になるコネクタ装置を、受け側コネクタ及び差込側コネクタと併せて概略的に示す図である。
【図２３】本発明の実施例８になるコネクタ装置の受け側コネクタを示す図であり、（Ａ）は（Ｂ）中、Ａ−Ａ線に沿う断面図である。
【図２４】本発明の実施例９になるコネクタ装置を、受け側コネクタ及び差込側コネクタと併せて概略的に示す図である。
【図２５】本発明の各実施例になるコネクタ装置の接続状態を概略的に且つ一覧できるよう示す図である。
【図２６】本発明の実施例１０になるコネクタ装置の差込側コネクタを示す斜視図である。
【図２７】本発明の実施例１１になるコネクタ装置の受け側コネクタを示す斜視図である。
【符号の説明】
【００６６】
１０、１０Ａ〜１０Ｉ  コネクタ装置
２０，２０Ａ、２０Ｃ、２０Ｄ，２０Ｆ、２０Ｇ  受け側コネクタ
２１  絶縁体ブロック
２２  円環状の空間
２３−１〜２３−３  コンタクト片群
２５  第１の信号コンタクト片（信号コンタクト片）
２６  第２の信号コンタクト片（信号コンタクト片）
２７，２８  グランドコンタクト片
２９  円筒形状シールド部材（グランド部材）
３０、３０Ｂ，３０Ｆ  差込側コネクタ
３１  円筒形状絶縁体部
３２  円筒状グランドパターン（グランド手段）
３３  本体部
４０，４０Ｂ  シート部材
４１  シート本体
４２  グランドパターン
４３  グランドコンタクトパターン（グランドコンタクト部材）
４４−１〜４４−３、４４Ｄ−１〜４４Ｄ−３  信号コンタクトパターン対
４５  第１の信号コンタクトパターン（信号コンタクト部材）
４６  第２の信号コンタクトパターン（信号コンタクト部材）
５０、５０Ｇ  グランド用コンタクト片
６０、６１  絶縁性のブロック
【図１】
2008251253.tif 000003
【図２】
2008251253.tif 000004
【図３】
2008251253.tif 000005
【図４】
2008251253.tif 000006
【図５】
2008251253.tif 000007
【図６】
2008251253.tif 000008
【図７】
2008251253.tif 000009
【図８】
2008251253.tif 000010
【図９】
2008251253.tif 000011
【図１０】
2008251253.tif 000012
【図１１】
2008251253.tif 000013
【図１２】
2008251253.tif 000014
【図１３】
2008251253.tif 000015
【図１４】
2008251253.tif 000016
【図１５】
2008251253.tif 000017
【図１６】
2008251253.tif 000018
【図１７】
2008251253.tif 000019
【図１８】
2008251253.tif 000020
【図１９】
2008251253.tif 000021
【図２０】
2008251253.tif 000022
【図２１】
2008251253.tif 000023
【図２２】
2008251253.tif 000024
【図２３】
2008251253.tif 000025
【図２４】
2008251253.tif 000026
【図２５】
2008251253.tif 000027
【図２６】
2008251253.tif 000028
【図２７】
2008251253.tif 000029